(57)【要約】      （修正有）【課題】仙骨支持具を提供することである。【解決手段】仙骨支持具２を使用するときには、使用者は、椅子の座面などに腰掛けながら、仙骨棘突起を縦溝３に、後上腸骨棘を後上腸骨棘支持面４Ａ、４Ｂに、夫々、位置させるように、仙骨支持具２の当接面２Ａを仙骨正中部に当て、この状態で、当接面２Ａに対向する仙骨支持具２の背面を椅子の背板に押し付ける。すると、骨盤が前傾されて腰椎が前弯姿勢に保持され、これにより、腰椎の障害を予防し、改善することができる。また、後上腸骨棘は後上腸骨棘支持面４Ａ、４Ｂで支持されるので、仙腸関節の過剰な動きを抑えることができる。【選択図】図１
2006311946.tif 000002
【特許請求の範囲】
【請求項１】
仙骨を支持する当接面を備えたプレート状部材からなる仙骨支持具であって、
前記当接面が、前記仙骨支持具の上縁から下縁に向かって、後方に徐々にプレート状部材の厚みを減じる傾斜面を構成する、
仙骨支持具。
【請求項２】
前記仙骨支持具に取り付けられた、前記仙骨支持具を使用者に着脱自在に装着させるためのベルト手段を有する、請求項１記載の仙骨支持具。
【請求項３】
前記仙骨支持具の当接面の幅方向中央に延びる、前記使用者の仙骨棘突起を受け入れるための縦溝が形成されている、請求項１又は請求項２記載の仙骨支持具。
【請求項４】
前記仙骨支持具の当接面の上部両側部が切りかかれ、使用者の後上腸骨棘を支持するための後上腸骨棘支持面が形成された、請求項１乃至請求項３のいずれか一項に記載の仙骨支持具。
【請求項５】
前記仙骨支持具の当接面に取り付けられた緩衝材を有する、請求項１乃至請求項４のいずれか一項に記載の仙骨支持具。
【請求項６】
請求項１乃至請求項５のいずれか一項に記載された前記仙骨支持具が設けられた背板を有する椅子。
【請求項７】
請求項１乃至請求項５のいずれか一項に記載された前記仙骨支持具が設けられた支持プレートを有する立てかけ構造体。
【発明の詳細な説明】
【技術分野】
【０００１】
本発明は、仙骨支持具に関し、特に、座位時に骨盤の前傾を保つ仙骨支持具に関する。
【背景技術】
【０００２】
従来から、腰椎屈曲動作や、腰椎後弯姿勢(脊柱が後方に出っ張って曲がっている状態)が、腰椎の障害をおこし、腰痛や下肢痛の原因となることが、例えば非特許文献１から知られている。
【０００３】
【非特許文献１】マケンジーエクササイズ腰椎―構造的診断と治療法―  ロビン・マッケンジー著  江崎機械株式会社出版事業部
【０００４】
座位姿勢での腰椎前弯姿勢を誘導することが腰椎の障害の予防、改善に重要であるが、平坦な床上での座位や、平坦な椅子での座位においては腰椎後弯傾向が強くなりがちである（非特許文献1）。
【０００５】
座位での腰椎前弯を得るための腰椎支持具の一例が非特許文献１に開示されている。
しかし、この腰椎支持具は腰椎全体を支持する構造になっているため、枕と同じくらいの大きさになってしまい、持ち運びしにくく、外出先で装着するのは困難である。
【発明の開示】
【発明が解決しようとする課題】
【０００６】
従って、本発明は、上述した課題を解決するために発明されたものであって、座位時に腰椎前弯を得るための、持ち運びが容易な仙骨支持具を提供することを目的とする。
【課題を解決するための手段】
【０００７】
上記目的を達成するため、本発明による仙骨支持具は、仙骨を支持する当接面を備えたプレート状部材からなり、前記当接面が、前記仙骨支持具の上縁から下縁に向かって、後方に徐々にプレート状部材の厚みを減じる傾斜面を構成する、ことを特徴とする。
【０００８】
本発明の仙骨支持具は、仙骨を支持する当接面を備え、この当接面が後方に傾斜しているので、使用者が本発明の仙骨支持具を座位時に仙骨後方で、例えば、椅子の背板との間に挿入することにより、仙骨の前傾が得られ、これにより、腰椎の障害を予防し、改善することができる。
【０００９】
また、本発明の仙骨支持具は、腰椎ではなく仙骨を支持することによって仙骨の前傾を得る構成であるので、腰椎を支持する構成の器具に比して小型化することができる。これは、腰椎の配列を改善するには、腰椎そのものを支持しなくても、腰椎が前弯姿勢を取るように腰椎の土台となっている仙骨を前傾させることによっても達成でき、解剖学的に仙骨は腰椎よりも小さい、という知見に基づくものである。
【００１０】
本発明の仙骨支持具は、仙骨支持具を使用者に着脱自在に装着させるためのベルト手段を有するのが好ましい。
【００１１】
ベルト手段により、使用者が、仙骨支持具を装着した状態で、椅子の座面などに腰掛けながら、仙骨支持具を椅子の背板などに押し当てると、傾斜面によって骨盤が前傾されて腰椎が前弯姿勢に保持され、これにより、腰椎の障害を予防し、改善することができる。ベルト手段を備えるときには、仙骨支持具を衣服の中に隠すことができ、他人に知られることなく仙骨支持具を使用することができ、また、使用時に仙骨支持具が脱落しないように仙骨支持具を椅子の背板などに常時押し付けておく必要をなくすことができる。
【００１２】
本発明では、前記仙骨支持具の当接面に形成され、その幅方向中央に延びる、前記使用者の仙骨棘突起を受け入れるための縦溝を有するのが好ましい。
縦溝を形成することによって仙骨棘突起を受け入れることができ、これにより、使用者の不快感を軽減し、また、前記仙骨支持具を体幹正中部に安定させることができる。
【００１３】
また、前記仙骨支持具の当接面の上部両側部が切りかかれ、使用者の後上腸骨棘を支持するための後上腸骨棘支持面が形成されているのが好ましい。
後上腸骨棘を後上腸骨棘支持面で支持することにより、仙腸関節の過剰な動きを抑えることができる。
【００１４】
更に、前記仙骨支持具の当接面に取り付けられた緩衝材を有するのが好ましい。
緩衝材により、仙骨部に加わる圧力を分散することができる。
【００１５】
更にまた、上記構造の仙骨支持具が設けられた背板を有する椅子を提供することができる。
仙骨支持具を椅子の背板に設けたので、使用時に仙骨支持具が脱落しないように仙骨支持具を椅子の背板などに常時押し付けておく必要をなくすことができる。
【００１６】
また、上記構造の仙骨支持具が設けられた支持プレートを有する立てかけ構造体を提供することができる。
仙骨支持具を支持プレートに設けたので、使用時に仙骨支持具が脱落しないように仙骨支持具を椅子の背板などに押し付けておく必要をなくすことができる。
【発明を実施するための最良の形態】
【００１７】
以下、添付図面を参照して、本発明による仙骨支持具の実施形態について説明する。
【００１８】
図１乃至図４に、本発明による仙骨支持具が全体的に参照番号２で示されている。
仙骨支持具２は、図１で良くわかるように、全体的に逆三角形状のプレートからなる。仙骨支持具２は発泡ポリウレタンや発泡ポリエチレンなどの樹脂、木材、金属、石材、コルク、陶器、ゴムなど種々の材料で作ることができ、その大きさは、高さ５〜２０cm、幅５〜２０cmが好ましい。
【００１９】
仙骨支持具２は、使用時、使用者の仙骨が当接される、すなわち、仙骨を支持する当接面２Ａを備え、この当接面２Ａは、図３で良くわかるように、側方から見たときに全体的に傾斜面を構成し、この傾斜面２Ａによりプレート２は、上縁から下縁に向かって、後方に徐々に厚みを減じられる。傾斜面２Ａは平坦面であるが、凸状湾曲面でも良い。
【００２０】
図２及び３に示すように、仙骨支持具２の当接面２Ａには、その幅方向中央に、上縁から下縁に向かって延びる、使用者の仙骨棘突起を受け入れるための縦溝３が形成されている。縦溝３の深さは０.５〜１.５cmが好ましい。仙骨支持具２の当接面２Ａはまた、その上部両側部が切りかかれ、使用者の後上腸骨棘を支持するための後上腸骨棘支持面４Ａ、４Ｂが形成される。各後上腸骨棘支持面４の深さは０.５〜２cmが好ましい。
【００２１】
上記構造による仙骨支持具２の作動を説明する。
仙骨支持具２を使用するときには、使用者は、例えば図４に示すように、椅子の座面Ｓなどに腰掛けながら、仙骨棘突起を縦溝３に、後上腸骨棘を後上腸骨棘支持面４Ａ、４Ｂに、夫々、位置させるように、仙骨支持具２の当接面２Ａを仙骨正中部に当て、この状態で、当接面２Ａに対向する仙骨支持具２の背面を椅子の背板ＢＲに押し付ける。すると、骨盤が前傾されて腰椎が前弯姿勢に保持され、これにより、腰椎の障害を予防し、改善することができる。また、後上腸骨棘は後上腸骨棘支持面４Ａ、４Ｂで支持されるので、仙腸関節の過剰な動きを抑えることができる。
【００２２】
図５は、仙骨支持具２の第１変形実施形態である仙骨支持具２０を示す。仙骨支持具２０は、背面が凸状弯曲面に構成されている点でのみ仙骨支持具本体２と異なる。
【００２３】
図６は、仙骨支持具２の第２変形実施形態である仙骨支持具３０を示す。仙骨支持具３０は、仙骨支持具２０の当接面２Ａに緩衝材３１を取り付けた点でのみ仙骨支持具２０と異なる。緩衝材３１を設けることによって、仙骨支持具３０を椅子の背板ＢＲなどに押し当てたときに仙骨部に加わる圧力を分散することができる。
【００２４】
緩衝材３１の材料は圧力を分散できるものであれば良く、発泡ポリウレタンや発泡ポリエチレンなどの樹脂、ゴムなど既存の医療用装具に緩衝材として用いられている任意の材料を用いることができる。緩衝材３１の厚さは０．５〜１．５cmが好ましい。
【００２５】
図７は、仙骨支持具２の第３変形実施形態である仙骨支持具１を示す。
仙骨支持具１は、仙骨支持具２と同一の仙骨支持具本体２と、この当接面２Ａに対向する背面に、例えば、接着剤によって、取り付けられたベルト保持体１０とを有する。勿論、仙骨支持具２に代えて、仙骨支持具２０、３０と同一構造の仙骨支持具本体を用いることもできる。
ベルト保持体１０の各側部には、ベルト保持体１０を前後に貫通するベルト挿通孔１１Ａ、１１Ｂが形成され、これらのベルト挿通孔１１Ａ、１１Ｂにはベルト１２が通される。
【００２６】
ベルト１２は、ベルト１２、ひいては、仙骨支持具１全体を使用者に保持するための締結手段を備え、この実施形態では、ベルト１２の各端部に互いに解放可能に係合する面ファスナー１２Ａ、１２Ｂが設けられている。ベルト１２は伸縮可能なゴムで作つても良い。また、面ファスナー１２Ａ、１２Ｂに代えて、互いに解放可能に係合することができる、既知の任意の締結手段、例えば、ベルト１２の一方の端部に形成された１つ又は複数のベルト穴と、該ベルト穴に係合可能な、ベルト１２の他方の端部に設けられたフックとを用いても良い。
【００２７】
仙骨支持具１を使用するときには、使用者は、仙骨棘突起を縦溝３に、後上腸骨棘を後上腸骨棘支持面４Ａ、４Ｂに、夫々、位置させるように、仙骨支持具本体２の当接面２Ａを仙骨正中部に当て、次いで、ベルト１２の面ファスナー１２Ａ、１２Ｂを係合させて、仙骨支持具１を使用者に装着する。
【００２８】
この状態で、図７に示すように、使用者が、椅子の座面Ｓなどに腰掛けながら、仙骨支持具１を椅子の背板ＢＲなどに押し当てると、骨盤が前傾されて腰椎が前弯姿勢に保持され、これにより、腰椎の障害を予防し、改善することができる。また、後上腸骨棘は後上腸骨棘支持面４Ａ、４Ｂで支持されるので、仙腸関節の過剰な動きを抑えることができる。また、仙骨支持具１はベルト１２により仙骨支持具１を使用者に保持することができるので、仙骨支持具１を椅子の背板ＢＲなどに押し付ける際に、誤って仙骨支持具１を脱落させてしまう恐れがない。
【００２９】
図８は、上述した仙骨支持具２を椅子に適用した例を示す。
【００３０】
図８に全体的に参照番号４０で示される椅子は、座４１と、座４１に取り付けられた背板４２とを有し、背板４２には、上述した仙骨支持具２が取り付けられている。
【００３１】
仙骨支持具２の背板４２への取り付けは、面ファスナー、ボタン、ホック、両面テープ、接着剤などの既存の任意の固定手段を用いることができる。また、仙骨支持具２は背板４２と一体形成しても良い。更に、仙骨支持具２の当接面２Ａに、図６に関連して説明した緩衝材３１を取り付けても良い。
【００３２】
また、座４１と背板４２とを折畳み自在に構成しても良い。座４１には脚を取り付けても良く、この場合には、脚は折畳み自在に構成しても良い。
【００３３】
椅子４０を使用するときには、使用者は、座４１に腰掛けて、仙骨棘突起を仙骨支持具本体２の縦溝３に、後上腸骨棘を仙骨支持具本体２の後上腸骨棘支持面４Ａ、４Ｂに、夫々、位置させるように、仙骨正中部を仙骨支持具本体２の当接面２Ａに押し当てる。すると、骨盤が前傾されて腰椎が前弯姿勢に保持され、これにより、腰椎の障害を予防し、改善することができる。また、後上腸骨棘は後上腸骨棘支持面４Ａ、４Ｂで支持されるので、仙腸関節の過剰な動きを抑えることができる。仙骨支持具２は背板４２に設けられているので、使用時に仙骨支持具２が脱落することはなく、誰もが容易に使用することができる。
【００３４】
図９は、上述した仙骨支持具２を立てかけ構造体に適用した例を示す。
【００３５】
図９に全体的に参照番号５０で示される立てかけ構造体５０は、支持プレート５１と、支持プレート５１に取り付けられた、上述した仙骨支持具２とを有する。
【００３６】
仙骨支持具２の支持プレート５１への取り付けは、面ファスナー、ボタン、ホック、両面テープ、接着剤などの既存の任意の固定手段を用いることができ、仙骨支持具２を支持プレート５１と一体形成しても良い。更に、仙骨支持具２の当接面２Ａに、図６に関連して説明した緩衝材３１を取り付けても良い。
【００３７】
立てかけ構造体５０を使用するときには、立てかけ構造体５０を椅子の背板に立てかける。立てかけ構造体５０は、椅子の背板下部に支持部材がない（開口構造の）場合にも、椅子の座と背板上部とによって支持させることができるという利点を有する。同様に、ソファのような軟性の椅子でも、図９に示すように、ソファの座５２と背板５３の上部とによって支持させることができる。
【００３８】
このように立てかけ構造体５０を椅子に立てかけた後、使用者は、椅子の座に腰掛けて、仙骨棘突起を仙骨支持具２の縦溝３に、後上腸骨棘を仙骨支持具本体２の後上腸骨棘支持面４Ａ、４Ｂに、夫々、位置させるように、仙骨正中部を仙骨支持具２の当接面２Ａに押し当てる。すると、骨盤が前傾されて腰椎が前弯姿勢に保持され、これにより、腰椎の障害を予防し、改善することができる。また、後上腸骨棘は後上腸骨棘支持面４Ａ、４Ｂで支持されるので、仙腸関節の過剰な動きを抑えることができる。仙骨支持具２は支持プレート５１に設けられているので、使用時に仙骨支持具２が脱落することはなく、誰もが容易に使用することができる。
本発明は、上述した実施形態に限定されることなく種々の変更が可能である。
【００３９】
例えば、図７に示す第３変形実施形態の仙骨支持具１では、ベルト１２はベルト保持体１０に取り付けられていたけれども、仙骨支持具本体２に直接取り付けても良い。この場合、ベルトはベルト１２と同様に一つのベルトによって構成しても良いし、仙骨支持具本体２の各側部に取り付けられた２つのベルト部分によって構成しても良い。
【００４０】
また、図９に示す立てかけ構造体５０では、仙骨支持具２は支持プレート５１に設けられていたけれども、支持プレート５１に代えて、種々の携帯物品、例えば、鞄に設けても良い。
【図面の簡単な説明】
【００４１】
【図１】本発明による仙骨支持具の正面図である。
【図２】仙骨支持具の平面図である。
【図３】仙骨支持具の右側面図である。
【図４】仙骨支持具の使用状態を示す概略図である。
【図５】仙骨支持具の第１変形実施形態を示す平面図である。
【図６】仙骨支持具の第２変形実施形態を示す平面図である。
【図７】仙骨支持具の第３変形実施形態を示す斜視図である。
【図８】仙骨支持具を適用した椅子の概略側面図である。
【図９】仙骨支持具を適用した立てかけ構造体を使用状態で示す概略側面図である。
【符号の説明】
【００４２】
２  仙骨支持具
２Ａ  当接面
【図１】
2006311946.tif 000003
【図２】
2006311946.tif 000004
【図３】
2006311946.tif 000005
【図４】
2006311946.tif 000006
【図５】
2006311946.tif 000007
【図６】
2006311946.tif 000008
【図７】
2006311946.tif 000009
【図８】
2006311946.tif 000010
【図９】
2006311946.tif 000011